(57)【要約】  【課題】運転スイッチを操作した直後に吸込グリルを開閉しても、吸込パネルの開閉位置を正しく制御できるようにする。  【解決手段】室内機制御部26は、運転スイッチ5 が押下された場合(ST3-Y) 、40秒のタイマをスタートさせ(ST11)、キーの機能に対応して、送風ファン8 の低速運転開始(ST13)、又は、冷暖房運転を停止させる(ST15)。そして、タイマが40秒経過して(ST5-Y) 、かつ、キーが自動運転開始の場合(ST20-Y)、吸込パネル駆動用モータ27を駆動して吸込パネル2 を初期位置まで回動させ(ST21)、吸込パネル2 を開位置まで開ける(ST22)。そしてＳＴ1 へジャンプする。一方、キーが自動運転開始でない場合(ST20-N)、吸込パネル駆動用モータ27を駆動して吸込パネル2 を初期位置まで回動させ(ST25)、吸込パネル2 を運転停止時の閉位置まで閉じる(ST26)。そして、ST1 へジャンプする。【選択図】図４
2009222371.tif 000002
【特許請求の範囲】
【請求項１】
空気調和機本体に対して開閉自在に設けられた吸込グリルと、空気を吸い込むために前記吸込グリルの外側に開閉自在に設けられた吸込パネルと、運転時に前記吸込パネルを開閉する駆動部を制御する制御部と、前記吸込グリルを開いた場合に操作できる位置に設けられた運転スイッチとを備え、
前記制御部は、前記運転スイッチからの信号があった場合には、前記吸込グリルを閉じるために必要な時間経過したのち、前記駆動部を介して前記吸込パネルを動作させるようにしたことを特徴とする空気調和機。
【請求項２】
請求項１の空気調和機において、制御信号を送信するリモコンをさらに備え、前記制御部は、前記リモコンからの信号により本体の運転を制御する場合には前記吸込グリルを閉じるために必要な時間経過させずに前記吸込パネルを動作させ、前記運転スイッチからの信号により本体の運転を制御する場合には、前記吸込グリルを閉じるために必要な時間経過したのち、前記駆動部を介して前記吸込パネルを動作させるようにしたことを特徴とする空気調和機。
【発明の詳細な説明】
【技術分野】
【０００１】
本発明は、空気調和機に係わり、より詳細には、室内機の吸込パネルを自動駆動にて開閉する開閉制御に関する。
【背景技術】
【０００２】
従来、室内機の吸込パネルを自動駆動にて開閉する構造を備えたものとして図７に示す構造を備えたものが開示されている。この空気調和機では、吸込グリル９１の外側に吸込パネル９２が設けられており、吸込グリル９１が開いているのか閉じているのかを検知するための吸込グリル開閉検出手段９３と、吸込パネル９２を開閉動作させる吸込パネル制御手段９４が設けられている（例えば特許文献１参照。）。
【０００３】
このような空気調和機の室内機吸込パネルの果たす役割としては、空気調和機停止時においては意匠性の向上および埃等の内部への侵入防止であり、空気調和機運転時においては空気調和機の性能を最大限に発揮するために、開口を大きくとり、空気吸込の抵抗を最小にすることである。
【０００４】
図７の空気調和機では吸込グリル９１を開閉駆動する駆動モータが室内機の本体側に設けられており、吸込グリル９１側に設けられた伝達機構により、吸込グリル９１が空気調和機の本体に装着されている時のみ、駆動モータの力が伝達機構を介して吸込パネル９２を開閉できる構成になっている。従って、吸込パネル制御手段９４は、吸込グリル開閉検出手段９３を介して吸込グリル９１の開閉状態を監視し、吸込グリル９１が開いている場合は駆動モータを回転させないように制御している。
【０００５】
このように吸込グリル開閉検出手段９３を備えた構成であっても、吸込グリル９１の開閉中に使用者が吸込グリル９１を開けた場合は、駆動モータが回転中に吸込グリル９１への駆動伝達力が切断され、駆動モータの回転位置と吸込パネル９２の開閉位置との関係が絶たれるため、吸込グリル９１を閉じたとしても、再度、吸込パネル９２を初期位置に戻す手順が必要である。このため、吸込グリル開閉検出手段９３の効果が十分とは言えず、比較的高価な吸込グリル開閉検出手段９３を省略する構成も考えられている。
【０００６】
次に、吸込グリル開閉検出手段９３を用いない構成を図１と図２、図５と図６を用いて説明する。なお、図１と図２とは本発明の空気調和機の室内機２０の図であるが、機構自体は従来と同じである。なお、図５と図６は、吸込グリル開閉検出手段９３を用いない従来の構成で発生する問題を説明する室内機２０の断面の説明図である。
【０００７】
図１（Ａ）は室内機２０の吸込パネル２が開いた状態を、図１（Ｂ）は吸込パネル２が閉じた状態で吸込グリル１が開いた状態を、それぞれ示す斜視図である。図１（Ｂ）で示すように、吸込グリル１が開いた状態では、室内機２０の本体側に備えられた運転スイッチ５を使用者が押下できる構成になっている。
運転スイッチ５は、主として、図示しないリモコンが電池切れで使用不能になった時などに、強制的に自動運転を行うために設けられている。そして、運転中に運転スイッチ５が押下されると、現在の運転を停止する。また、この運転スイッチ５を長押し（５秒以上）すると、後述する清掃用累計時間のリセットを実行することができる。
【０００８】
図２は室内機２０の断面の説明図である。この室内機２０は前面カバー３に覆われた室内機２０の本体と、吸込パネル２を回動自在に軸支する吸込グリル１とで構成され、吸込グリル１はその上部で軸１ａを介して本体側に軸支されている。
【０００９】
一方、本体側はその内部に、送風ファンモータ２３で回転する送風ファン８と、その外周に配置された熱交換器７と、熱交換器７の外側に配置されたフィルタ４と、同フィルタ４に溜まった埃を掻き取る清掃ユニット９と、フィルタ４を駆動して清掃ユニット９内を通過させるフィルタ駆動用モータ２５とを備えている。
【００１０】
また、本体側はその内部に、上下風向板１０と、同上下風向板１０を回動する上下風向板駆動用モータ２４と、運転スイッチ５と、吸込パネル２を回動させる吸込パネル駆動用モータ２７と、これに接続された駆動歯車１１とを備えている。
【００１１】
吸込グリル１側には、吸込パネル２と、駆動歯車１１とかみ合って吸込パネル２を回動させる伝達機構１２とを備えている。従って、吸込グリル１が本体に装着されていると、吸込パネル駆動用モータ２７の回転に対応して吸込パネル２が回動し、例えば点線で示す位置まで吸込パネル２を開くことができる。
【００１２】
次に、本発明による吸込パネル２の制御を行わない場合について説明する。
【００１３】
図５は室内機の本体に備えられた運転スイッチ５を用いて強制運転を開始する場合を、図６は室内機の本体に備えられた運転スイッチ５を用いて運転を停止する場合をそれぞれ示す室内機２０の断面の説明図である。
【００１４】
図５（Ａ）に示すように、強制運転を開始する場合は、まず、（１）吸込グリル１を手前に回動させる。（２）次に、室内機の本体に備えられた運転スイッチ５を押下する。すると、図示しない制御部が強制運転を開始すると共に、吸込パネル駆動用モータ２７を回転させ、吸込パネル２を開いた状態にしようとする。
【００１５】
しかしながら、（３）この状態で使用者が吸込グリル１を閉じた場合、図５（Ｂ）に示すように、吸込グリル１内の伝達機構１２と室内機本体の駆動歯車１１とがかみ合って吸込パネル２を回動させる。この結果、途中から吸込パネル２が回動されることになるため、吸込パネル２の開動作が途中で終了したり、最悪の場合、吸込パネル２が閉じたまま強制運転を続けることになり、ファンモータに負担をかけてしまうという問題があった。
【００１６】
また、図６（Ａ）に示すように、強制運転を停止する場合は、まず、（１）吸込グリル１を手前に回動させる。（２）次に、室内機の本体に備えられた運転スイッチ５を押下する。すると、図示しない制御部が強制運転を停止すると共に、吸込パネル駆動用モータ２７を回転させ、吸込パネル２を閉じた状態にしようとする。
【００１７】
しかしながら、（３）この状態で使用者が吸込グリル１を閉じた場合、図６（Ｂ）に示すように、吸込グリル１内の伝達機構１２と室内機本体の駆動歯車１１とがかみ合って吸込パネル２を回動させる。この結果、途中から吸込パネル２が回動されることになるため、吸込パネル２の閉動作が途中で終了し、吸込パネル２が開いたまま運転を停止してしまうという問題があった。
【特許文献１】特開２００５−２５７１９１号公報（第３−４頁、図１）
【発明の開示】
【発明が解決しようとする課題】
【００１８】
本発明は以上述べた問題点を解決し、吸込グリル開閉検出手段がなく、かつ、運転スイッチが吸込グリルで覆われている室内機において、運転スイッチを操作した後に吸込グリルを開閉しても、吸込パネルの開閉位置を正しく制御できるようにすることを目的とする。
【課題を解決するための手段】
【００１９】
本発明は上述の課題を解決するため、空気調和機本体に対して開閉自在に設けられた吸込グリルと、空気を吸い込むために前記吸込グリルの外側に開閉自在に設けられた吸込パネルと、運転時に前記吸込パネルを開閉する駆動部を制御する制御部と、前記吸込グリルを開いた場合に操作できる位置に設けられた運転スイッチとを備え、
前記制御部は、前記運転スイッチからの信号があった場合には、前記吸込グリルを閉じるために必要な時間経過したのち、前記駆動部を介して前記吸込パネルを動作させるようにした。
【００２０】
また、前記空気調和機において、制御信号を送信するリモコンをさらに備え、前記制御部は、前記リモコンからの信号により本体の運転を制御する場合には前記吸込グリルを閉じるために必要な時間経過させずに前記吸込パネルを動作させ、前記運転スイッチからの信号により本体の運転を制御する場合には、前記吸込グリルを閉じるために必要な時間経過したのち、前記駆動部を介して前記吸込パネルを動作させるようにした。
【発明の効果】
【００２１】
以上の手段を用いることにより、本発明による空気調和機によれば、
請求項１に係わる発明は、運転スイッチの操作から吸込グリルの開閉動作が完了すると予想される時間まで、吸込パネルの動作開始を遅延させたので、吸込パネルの開閉動作を確実に行うことができる。また、吸込グリル開閉検出手段が不必要であるため、コストダウンを図ることができる。
【００２２】
請求項２に係わる発明は、リモコンによる操作では吸込パネルの動作開始を遅延させることなく、即時に実施するため、迅速な対応が可能である。
【発明を実施するための最良の形態】
【００２３】
以下、本発明の実施の形態を、添付図面に基づいた実施例として詳細に説明する。
【実施例１】
【００２４】
図１（Ａ）は室内機２０の吸込パネル２が開いた状態を、図１（Ｂ）は吸込パネル２が閉じた状態で吸込グリル１が開いた状態を、それぞれ示す斜視図である。図１（Ｂ）で示すように、吸込グリル１が開いた状態で、室内機２０の本体側に備えられた運転スイッチ５を使用者が押下できる構成になっている。なお、室内機２０の右下には図示しないリモコンの赤外線信号を受信する受光部６が配置されている。
【００２５】
図２は室内機２０の断面の説明図である。この室内機２０は前面カバー３に覆われた室内機２０の本体と、吸込パネル２を回動自在に軸支する吸込グリル１とで構成され、吸込グリル１はその上部で軸１ａを介して本体側に軸支されている。
【００２６】
一方、本体側はその内部に、送風ファンモータ２３で回転する送風ファン８と、その外周に配置された熱交換器７と、熱交換器７の外側に配置されたフィルタ４と、同フィルタ４に溜まった埃を掻き取る清掃ユニット９と、フィルタ４を駆動して清掃ユニット９内を通過させるフィルタ駆動用モータ２５とを備えている。
【００２７】
また、本体側はその内部に、上下風向板１０と、同上下風向板１０を回動する上下風向板駆動用モータ２４と、運転スイッチ５と、吸込パネル２を回動させる吸込パネル駆動用モータ２７と、これに接続された駆動歯車１１とを備えている。
【００２８】
吸込グリル１側には、吸込パネル２と、駆動歯車１１とにかみ合って吸込パネル２を回動させる伝達機構１２とを備えている。従って、吸込グリル１が本体に装着されていると、吸込パネル駆動用モータ２７の回転に対応して吸込パネル２が回動し、例えば点線で示す位置まで吸込パネル２を開くことができる。
【００２９】
図３は空気調和機を示すブロック図であり、この空気調和機は室内機２０と室外機３０とで構成されている。
【００３０】
室内機２０は、受光部６を介して入力された赤外線信号を受信するリモコン受信部２１と、室内の温度を検知する室温センサ２９と、図示しないフィルタに付着した塵埃を除去するためにフィルタを駆動するフィルタ駆動用モータ２５と、送風ファンモータ２３と、上下風向板の角度調節を行う上下風向板駆動用モータ２４と、運転スイッチ５のＯＮ／ＯＦＦ状態をスイッチ状態信号に変換して出力するキー入力部２８と、吸込パネル２を回動させる駆動部である吸込パネル駆動用モータ２７と、これらを制御する室内機制御部２６とを備えている。なお室内機制御部２６は室外機３０と通信を行い、設定された室温になるように室外機３０に指示を与えるようになっている。
【００３１】
次に、以上説明した構成を用いて吸込パネル２の回動を制御する手順を説明する。
【００３２】
背景技術で説明したように、本願で解決する問題点は、使用者が運転スイッチ５を操作する場合に吸込グリル１を開ける必要があり、かつ、吸込グリル１を開けた時に、室内機２０の本体側に配置された吸込パネル駆動用モータ２７の駆動歯車１１と、吸込グリル１内に配置された吸込パネル２を回動させる伝達機構１２とが離れてしまうことである。
【００３３】
使用者によって運転スイッチ５が押下された場合、室内機制御部２６は冷暖房運転の開始、または、停止の処理を行う。このため、使用者は、冷暖房運転の開始開始や停止のために吸込グリル１の開閉を行う。この開け閉めの間に吸込パネル駆動用モータ２７の駆動力が吸込パネル２に伝達されない時、前述した問題が発生する。
【００３４】
本実施例では、室内機制御部２６が、運転スイッチ５の押下されたタイミングから、使用者が吸込グリル１を室内機２０の本体側に装着するまでの十分な所定時間、例えば４０秒の経過を待って、吸込パネル駆動用モータ２７の駆動を開始するようにしている。
【００３５】
このため、吸込グリル１の伝達機構１２と、吸込パネル駆動用モータ２７の駆動歯車１１とが確実にリンクしてから吸込パネル駆動用モータ２７の駆動を開始することができ、吸込パネル２を確実に所定の場所に回動することができる。
【００３６】
具体的には、使用者が吸込グリル１を開けて運転スイッチ５を押下すると、室内機制御部２６は、現在冷暖房を運転中なら、停止の処理を、運転中でないなら冷暖房を運転を開始する。ただし、運転を開始する場合は、自動運転の温度設定を行うため、送風ファンモータ２３を低速で回転させ、同時に室温センサ２９で室温を監視する。使用者は送風ファン８が回転し始めたのを認識して吸込グリル１を閉める。
【００３７】
運転スイッチ５を押下して４０秒が経過したら、室内機制御部２６は吸込パネル駆動用モータ２７を駆動して吸込パネル２を初期位置まで回動させ、その後、吸込パネル２を所定の位置まで開ける。そして、室温センサ２９で検出した室温に対応して冷暖房を運転を開始する。
【００３８】
一方、運転を停止させる場合は、使用者が吸込グリル１を開けて運転スイッチ５を押下する。すると室内機制御部２６は現在の運転を中止する。これを認識した使用者は吸込グリル１を閉める。室内機制御部２６は運転スイッチ５を押下して４０秒が経過したら、吸込パネル駆動用モータ２７を駆動して吸込パネル２を初期位置まで回動させ、その後、吸込パネル２を閉位置まで閉じる。
【００３９】
なお、この時、フィルタ自動清掃に関する所定の清掃用累計時間、例えば１００時間が経過し、フィルタを清掃する時間になっていたら、室内機制御部２６はフィルタ駆動用モータ２５を回転させ、フィルタ４を駆動して清掃ユニット９内をフィルタ４が移動することで、フィルタ４の表面に付着していた塵埃を清掃する。そして全ての運転を終了し、リモコンや運転スイッチ５による新たな指示を待つ。
【００４０】
運転スイッチ５は、長押し（５秒以上）することにより、清掃用累計時間をクリアすることができる。この場合も使用者が吸込グリル１を開けて運転スイッチ５を押下すると室内機制御部２６は、吸込パネル駆動用モータ２７を駆動して吸込パネル２を初期位置まで回動させ、その後、吸込パネル２を閉位置まで閉じる。
【００４１】
なお、リモコンからの指示はいつでも受け付けることができるが、運転スイッチ５に関わる処理を行っている場合は、この処理が終了した後、受け付けた指示を実施する。また、室内機２０のコンセントが電源に接続された場合の吸込パネル初期化処理中に運転スイッチ５が押下された場合は、運転スイッチ５による運転停止と同じ処理が実施される。また、この時、フィルタ５の位置に関する初期化中の場合は、フィルタ５の初期化が終了してから運転スイッチ５による運転停止と同じ処理が実施される。
【００４２】
室内機制御部２６は、リモコンからの指示を受信すると、そのリモコンコードを室内機制御部２６内の記憶部に格納する。なお、リモコンコードが格納されない場合は、その記憶エリアは空白となっており、リモコンコードの有無を確認できるようになっている。また、室内機制御部２６は、その内部にタイマーを備えており、１秒単位で時間をカウントすることができる。
【００４３】
また、室内機制御部２６は清掃用累計時間を記憶しており、さらに、運転スイッチ５に関して長押しでの押下か通常の押下かを判別し、運転スイッチ５の状態をキー押下フラグとして記憶している。キー押下フラグの内容は０：キー押下なし、１：通常の押下あり、２：清掃用累計時間リセットの指示ありと定義されている。
【００４４】
次に図４のフローチャートを用いて室内機制御部２６の動作を説明する。なお図４においてＳＴはステップを表し、これに続く番号はステップ番号を示す。また、−ＹはＹｅｓを、−ＮはＮｏを表している。
【００４５】
制御が開始されると室内機制御部２６は、リモコン受信部２１を介してリモコン信号が受信されたか確認する（ＳＴ１）。リモコン信号が受信された場合（ＳＴ１−Ｙ）、リモコンコードを格納する（ＳＴ２）。そして、この場合と、リモコン信号が受信されない場合（ＳＴ１−N ）とは、次に運転スイッチ５が押下されたか確認する（ＳＴ３）。
【００４６】
運転スイッチ５が押下されていない場合（ＳＴ３−Ｎ）、４０秒のタイマが起動中か確認する（ＳＴ４）。４０秒のタイマが起動中の場合（ＳＴ４−Ｙ）、次にタイマでの計測時間が４０秒経過したか確認し（ＳＴ５）、タイマでの計測時間が４０秒経過していない場合（ＳＴ５−Ｎ）、この場合と、４０秒のタイマが起動中でない場合（ＳＴ４−N ）とは、次にキー押下フラグがセット済みか確認する（ＳＴ６）。
【００４７】
キー押下フラグがセット済みの場合（ＳＴ６−Ｙ）、ＳＴ１へジャンプする。キー押下フラグがセット済みでない場合（ＳＴ６−Ｎ）、格納されたリモコンコードに従って運転を行う（ＳＴ７）。なお、リモコンコードが格納されていない場合、つまり、該当格納エリアが空白の場合は、何もしないでＳＴ７を抜ける。
【００４８】
そして、リモコンコードの格納の有無に関わらず、リモコンコードとして空白を格納することでリモコンコードの消去を行う（ＳＴ８）。そしてＳＴ１へジャンプする。
【００４９】
一方、ＳＴ３で運転スイッチ５が押下された場合（ＳＴ３−Ｙ）、押下された運転スイッチ５の状態をキー押下フラグとして記憶する（ＳＴ１０）。そして、４０秒のタイマをスタートさせる（ＳＴ１１）。次に、キー押下フラグの内容を確認し、押下されたキーは強制自動運転の開始の指示か確認する（ＳＴ１２）。
【００５０】
なお、キー押下フラグの内容が１：通常の押下ありの場合で、かつ、キー押下の前が運転停止状態であれば、強制自動運転の開始指示と判断し、キー押下の前に運転状態であれば、強制自動運転の停止指示と判断している。
【００５１】
押下されたキーが強制自動運転の開始の指示である場合（ＳＴ１２−Ｙ）、室温を監視するため送風ファン８の低速運転を開始し（ＳＴ１３）、ＳＴ４へジャンプする。一方、押下されたキーが強制自動運転の開始の指示でない場合（ＳＴ１２−Ｎ）、押下されたキーがフィルタ４の清掃用累計時間のリセット指示か確認し（ＳＴ１４）、押下されたキーがフィルタ４の清掃用累計時間のリセット指示の場合（ＳＴ１４−Ｙ）、ＳＴ４へジャンプする。
【００５２】
押下されたキーがフィルタ４の清掃用累計時間のリセット指示でない場合（ＳＴ１４−Ｎ）、つまり、押下されたキーが強制自動運転の停止の場合、現在運転中の冷暖房運転を停止させる（ＳＴ１５）。そして、ＳＴ４へジャンプする。
【００５３】
一方、ＳＴ５でタイマでの計測時間が４０秒経過した場合（ＳＴ５−Ｙ）、押下されたキーは強制自動運転の開始の指示か確認する（ＳＴ２０）。押下されたキーが強制自動運転の開始の指示である場合（ＳＴ２０−Ｙ）、吸込パネル駆動用モータ２７を駆動して吸込パネル２を初期位置まで回動させ（ＳＴ２１）、その後、吸込パネル２を運転時に開とする位置まで開ける（ＳＴ２２）。次にキー押下フラグをリセット（運転スイッチ５が押下されていない状態）し（ＳＴ２４）、ＳＴ１へジャンプする。
【００５４】
一方、ＳＴ２０で押下されたキーが強制自動運転の開始の指示でない場合（ＳＴ２０−Ｎ）、つまり、押下されたキーが強制自動運転の停止、もしくは、清掃用累計時間リセットの指示の場合、吸込パネル駆動用モータ２７を駆動して吸込パネル２を初期位置まで回動させ（ＳＴ２５）、その後、吸込パネル２を運転停止時に閉とする位置まで閉じる（ＳＴ２６）。
【００５５】
次に、キー押下フラグの内容を確認し、押下されたキーがフィルタ４の清掃用累計時間のリセット指示か確認し（ＳＴ２７）、押下されたキーがフィルタ４の清掃用累計時間のリセット指示の場合（ＳＴ２７−Ｙ）、記憶部に格納されているフィルタ４の清掃用累計時間のエリアをリセット（ゼロクリア）する（ＳＴ２８）。そして、この場合と、押下されたキーがフィルタ４の清掃用累計時間のリセット指示でない場合とは（ＳＴ２７−Ｎ）、次にフィルタの自動清掃実施のタイミングか確認する（ＳＴ２９）。
【００５６】
フィルタ４の自動清掃実施のタイミングでない場合（ＳＴ２９−Ｎ）、ＳＴ２４へジャンプして運転スイッチ５の処理を完了する。フィルタ４の自動清掃実施のタイミングである場合（ＳＴ２９−Ｙ）、フィルタ４の自動清掃処理を実施する（ＳＴ３０）。そして、ＳＴ２４へジャンプして運転スイッチ５の処理を完了する。
【００５７】
以上説明したように、運転スイッチ５の操作から吸込グリル１の開閉動作が完了すると予想される時間まで、吸込パネル２の動作開始を遅延させたので、吸込パネル２の開閉動作を確実に行うことができる。また、吸込グリル開閉検出手段が不必要であるため、コストダウンを図ることができる。
【００５８】
また、リモコンによる操作では吸込パネル２の動作開始を遅延させることなく、即時に実施するため、迅速な対応が可能である。
【００５９】
なお、この実施例では運転スイッチ５の操作から吸込グリル１の開閉動作が完了すると予想される時間までを４０秒としているが、これに限るものでななく、任意の値にしてもよい。
【図面の簡単な説明】
【００６０】
【図１】本発明による空気調和機の室内機の外観を示す斜視図であり、（Ａ）は吸込パネルを開いた場合、（Ｂ）は吸込グリルを開いた場合をそれぞれ示している。
【図２】本発明による空気調和機の室内機の内部構造を説明する断面の説明図である。
【図３】室内機の構成を示すブロック図である。
【図４】本発明による室内機制御部の動作を説明するフローチャートである。
【図５】従来の室内機における運転開始手順を説明する室内機断面の説明図である。
【図６】従来の室内機における運転停止手順を説明する室内機断面の説明図である。
【図７】従来の別の室内機を示す説明図である。
【符号の説明】
【００６１】
１  吸込グリル
１ａ  軸
２  吸込パネル
３  前面カバー
４  フィルタ
５  フィルタ
５  運転スイッチ
６  受光部
７  熱交換器
８  送風ファン
９  清掃ユニット
１０  上下風向板
１１  駆動歯車
１２  伝達機構
２０  室内機
２１  リモコン受信部
２３  送風ファンモータ
２４  上下風向板駆動用モータ
２５  フィルタ駆動用モータ
２６  室内機制御部
２７  吸込パネル駆動用モータ（駆動部）
２８  キー入力部
２９  室温センサ
３０  室外機
【図１】
2009222371.tif 000003
【図２】
2009222371.tif 000004
【図３】
2009222371.tif 000005
【図４】
2009222371.tif 000006
【図５】
2009222371.tif 000007
【図６】
2009222371.tif 000008
【図７】
2009222371.tif 000009